(57)【特許請求の範囲】
【請求項１】
互いにデータの伝送方向が異なる第１の伝送路と第２の伝送路からなるリング状ネットワーク上に複数の伝送装置を配置するとともに、前記複数の伝送装置の少なくとも１つの伝送装置にネットワーク監視装置を接続し、前記第１の伝送路を用いて前記リング状ネットワークの監視データを前記ネットワーク監視装置に伝送し、前記第２の伝送路を用いて前記複数の伝送装置間の通信データを伝送する通信システムにおいて、
前記伝送装置は、
前記第１の伝送路の下流側の障害を検出する障害検出手段と、
前記障害検出手段により前記第１の伝送路の下流側の障害を検出した場合は、前記第２の伝送路を用いて前記第１の伝送路の上流側に前記監視データを伝送する監視データ伝送手段と
を具備し、
前記ネットワーク監視装置は、
前記監視データ伝送手段により伝送された前記監視データから障害発生個所を特定して、前記第１の伝送路の該特定した障害発生個所の上流側の伝送装置に対して前記監視データを前記第２の伝送路を用いて前記第１の伝送路の上流側に伝送するように切り替える切替命令を通知する通知手段
を具備することを特徴とする通信システム。
【請求項２】
互いにデータの伝送方向が異なる第１の伝送路と第２の伝送路からなるリング状ネットワーク上に複数の伝送装置を配置するとともに、前記複数の伝送装置の少なくとも１つの伝送装置にネットワーク監視装置を接続し、前記第１の伝送路を用いて前記リング状ネットワークの監視データを前記ネットワーク監視装置に伝送し、前記第２の伝送路を用いて前記複数の伝送装置間の通信データを伝送する通信システムにおいて、
前記伝送装置は、
前記第１の伝送路の下流側の障害を検出する障害検出手段と、
前記障害検出手段により前記第１の伝送路の下流側の障害を検出した場合は、前記第２の伝送路を用いて前記第１の伝送路の上流側の伝送装置に前記監視データを同報伝送する監視データ伝送手段と、
前記監視データ伝送手段により伝送された前記監視データの受信に基づき前記監視データを前記第２の伝送路を用いて前記第１の伝送路の上流側に伝送するように切り替える伝送路切替手段と
を具備することを特徴とする通信システム。
【請求項３】
互いにデータの伝送方向が異なる第１の伝送路と第２の伝送路からなるリング状ネットワーク上に複数の伝送装置を配置するとともに、前記複数の伝送装置の少なくとも１つの伝送装置にネットワーク監視装置を接続し、前記第１の伝送路を用いて前記リング状ネットワークの監視データを前記ネットワーク監視装置に伝送し、前記第２の伝送路を用いて前記複数の伝送装置間の通信データを伝送する通信システムにおいて、
前記伝送装置は、
前記第１の伝送路の受信警報を検出する検出手段と、
前記検出手段により前記第１の伝送路の受信警報を検出した場合は、該障害発生の時刻を取得する障害発生時刻取得手段と、
前記障害発生時刻取得手段で取得した障害発生の時刻が付与された第１の警報メッセージを前記第１伝送路に送出するとともに、前記障害発生時刻取得手段で取得した障害発生の時刻と同一時刻が付与された第２の警報メッセージを前記第２伝送路に送出する警報メッセージ伝送手段と
を具備し、
前記ネットワーク監視装置は、
前記警報メッセージ伝送手段により伝送された同一時刻が付与された警報メッセージの一方を削除して記録する記録手段
を具備することを特徴とする通信システム。
【発明の詳細な説明】
【０００１】
【発明の属する技術分野】
この発明は、複数の伝送装置を互いに伝送方向が異なる２重伝送路で接続したリング状ネットワーク通信システムに関し、特に、伝送路の一部に障害が発生した場合でも各伝送装置から送出されるリング状ネットワークの監視データをネットワーク監視装置に伝送することができるようにしてシステム監視機能を強化した通信システムに関する。
【０００２】
【従来の技術】
最近、ＡＴＭ(Asynchronous Transfer Mode)伝送装置等の複数の伝送装置を光ファイバ等の伝送路でリング状に接続して構成されるリング状ネットワーク通信システムが注目されている。
【０００３】
このリング状ネットワーク通信システムは、時計回りの現用系と反時計回りの予備系の２重の伝送路を具備しており、伝送装置若しくは伝送路の障害時にもこの障害個所を切り離して通信が継続できるように構成されている。
【０００４】
また、複数の伝送装置（ノード）の内の１つの伝送装置（センタノード）にはネットワーク監視装置（ＮＭＳ）が接続され、各ノードからこのネットワーク監視装置にネットワークの監視データが伝送されるとともに、伝送路の障害時には、障害検出ノードから障害情報がこのネットワーク監視装置に転送されるように構成されている。
【０００５】
すなわち、上記構成のリング状ネットワーク通信システムにおいて、各ノードは、反時計回りの予備系（監視情報伝送路）を用いてリング状ネットワークの監視データをネットワーク監視装置に転送するように構成されているが、この監視データ転送路に断線等の障害が発生した場合は、この監視情報転送路の障害発生個所の下流側のノードがこの障害発生を検出し、受信断警報（ＬＯＳ）メッセージを監視情報伝送路を介してネットワーク監視装置に転送するように構成されている。
【０００６】
また、この受信段警報（ＬＯＳ）メッセージを検出したノードは、時計回りの現用系（通信情報伝送路）を用いて、監視情報伝送路の上流側のノードに受信断発生を示す警報（Ｐ−ＦＥＲＦ）メッセージを転送するように構成されており、この警報（Ｐ−ＦＥＲＦ）メッセージを受信したノードは、この警報（Ｐ−ＦＥＲＦ）メッセージを監視情報伝送路を介してネットワーク監視装置に転送するように構成されている。
【０００７】
【発明が解決しようとする課題】
しかし、上記従来の構成において、監視情報伝送路に断線等の障害が発生した場合は、監視情報伝送路の上流側のノードは、この警報（Ｐ−ＦＥＲＦ）メッセージをネットワーク監視装置に転送することができなくなる。
【０００８】
この結果、ネットワーク監視装置においては、監視データの受信断警報（ＬＯＳ）メッセージの受信により監視情報伝送路の障害発生を類推することはできるが、上記警報（Ｐ−ＦＥＲＦ）メッセージは受信することができず、同様に、監視情報伝送路の障害発生個所の上流側の全てのノードからの稼動情報を含む監視データも受信することができなくなるので、各ノードの詳細な稼動記録を残すことができず、ネットワーク管理を行う上で情報が不足するという不都合が発生する。
【０００９】
そこで、この発明は、監視情報伝送路に断線等の障害が発生した場合でも各ノードの稼動情報を迅速に収集して最適なネットワーク管理を継続することができるようにした通信システムを提供することを目的とする。
【００１１】
【課題を解決するための手段】
上記目的を達成するため、請求項１の発明は、互いにデータの伝送方向が異なる第１の伝送路と第２の伝送路からなるリング状ネットワーク上に複数の伝送装置を配置するとともに、前記複数の伝送装置の少なくとも１つの伝送装置にネットワーク監視装置を接続し、前記第１の伝送路を用いて前記リング状ネットワークの監視データを前記ネットワーク監視装置に伝送し、前記第２の伝送路を用いて前記複数の伝送装置間の通信データを伝送する通信システムにおいて、前記伝送装置は、前記第１の伝送路の下流側の障害を検出する障害検出手段と、前記障害検出手段により前記第１の伝送路の下流側の障害を検出した場合は、前記第２の伝送路を用いて前記第１の伝送路の上流側に前記監視データを伝送する監視データ伝送手段とを具備し、前記ネットワーク監視装置は、前記監視データ伝送手段により伝送された前記監視データから障害発生個所を特定して、前記第１の伝送路の該特定した障害発生個所の上流側の伝送装置に対して前記監視データを前記第２の伝送路を用いて前記第１の伝送路の上流側に伝送するように切り替える切替命令を通知する通知手段を具備することを特徴とする。
【００１２】
また、請求項２の発明は、互いにデータの伝送方向が異なる第１の伝送路と第２の伝送路からなるリング状ネットワーク上に複数の伝送装置を配置するとともに、前記複数の伝送装置の少なくとも１つの伝送装置にネットワーク監視装置を接続し、前記第１の伝送路を用いて前記リング状ネットワークの監視データを前記ネットワーク監視装置に伝送し、前記第２の伝送路を用いて前記複数の伝送装置間の通信データを伝送する通信システムにおいて、前記伝送装置は、前記第１の伝送路の下流側の障害を検出する障害検出手段と、前記障害検出手段により前記第１の伝送路の下流側の障害を検出した場合は、前記第２の伝送路を用いて前記第１の伝送路の上流側の伝送装置に前記監視データを同報伝送する監視データ伝送手段と、前記監視データ伝送手段により伝送された前記監視データの受信に基づき前記監視データを前記第２の伝送路を用いて前記第１の伝送路の上流側に伝送するように切り替える伝送路切替手段とを具備することを特徴とする。
【００１３】
また、請求項３の発明は、互いにデータの伝送方向が異なる第１の伝送路と第２の伝送路からなるリング状ネットワーク上に複数の伝送装置を配置するとともに、前記複数の伝送装置の少なくとも１つの伝送装置にネットワーク監視装置を接続し、前記第１の伝送路を用いて前記リング状ネットワークの監視データを前記ネットワーク監視装置に伝送し、前記第２の伝送路を用いて前記複数の伝送装置間の通信データを伝送する通信システムにおいて、前記伝送装置は、前記第１の伝送路の受信警報を検出する検出手段と、前記検出手段により前記第１の伝送路の受信警報を検出した場合は、該障害発生の時刻を取得する障害発生時刻取得手段と、前記障害発生時刻取得手段で取得した障害発生の時刻が付与された第１の警報メッセージを前記第１伝送路に送出するとともに、前記障害発生時刻取得手段で取得した障害発生の時刻と同一時刻が付与された第２の警報メッセージを前記第２伝送路に送出する警報メッセージ伝送手段とを具備し、前記ネットワーク監視装置は、前記警報メッセージ伝送手段により伝送された同一時刻が付与された警報メッセージの一方を削除して記録する記録手段を具備することを特徴とする。
【００１４】
【発明の実施の形態】
以下、この発明に係わる通信システムの実施の形態を添付図面を参照して詳細に説明する。
【００１５】
図１は、この発明に係わる通信システムの全体構成を示すブロック図である。
【００１６】
図１において、この通信システムは、複数の伝送装置、すなわち、ノード（Ｒ１〜Ｒ５）１０−１〜１０−５とセンタノード（Ｃ）２０を、時計回りの現用系伝送路（以下、通信情報伝送路という）１−１〜１−６と反時計回りの予備系伝送路（以下、監視情報伝送路という）２−１〜２−６との二重系の伝送路で接続して構成される。
【００１７】
ここで、ノード（Ｒ１）１０−１には、交換機４０−１を介して通信端末４１−１が接続されている。
【００１８】
また、ノード（Ｒ２）１０−２には、リピータ（Ｒ）５０−１を介してローカルエリアネットワーク（ＬＡＮ）６０−１が接続されている。
【００１９】
また、ノード（Ｒ３）１０−３には、交換機４０−２を介して通信端末４１−２が接続されるとともに、リピータ（Ｒ）５０−１を介してローカルエリアネットワーク（ＬＡＮ）６０−２が接続されている。
【００２０】
また、ノード（Ｒ４）１０−４には、交換機４０−３を介して通信端末４１−３が接続されている。
【００２１】
また、ノード（Ｒ５）１０−５には、交換機４０−４を介して通信端末４１−４が接続されるとともに、リピータ（Ｒ）５０−３を介してローカルエリアネットワーク（ＬＡＮ）６０−３が接続されている。
【００２２】
また、センタノード（Ｃ）２０には、ネットワーク監視装置（ＮＭＳ）３０が接続され、このネットワーク監視装置（ＮＭＳ）３０には、この通信システムの運用データおよび監視データを記憶するデータベース３１が接続されている。
【００２３】
図２は、図１に示した通信システムにおける通信データ伝送経路を示す図である。
【００２４】
図２においては、ノード（Ｒ１）１０−１に交換機４０−１を介して接続された通信端末４１−１とノード（Ｒ４）１０−４に交換機４０−３を介して接続された通信端末４１−３との間の通信データ伝送経路を示している。
【００２５】
図２において、通信端末４１−１から通信端末４１−３への送信データは、通信端末４１−１から交換機４０−１、ノード（Ｒ１）１０−１、通信情報伝送路１−２、ノード（Ｒ２）１０−２、通信情報伝送路１−３、ノード（Ｒ３）１０−３、通信情報伝送路１−４、ノード（Ｒ４）１０−４、交換機４０−３を介して通信端末４１−３ヘ伝送される。
【００２６】
また、通信端末４１−３から通信端末４１−１への送信データは、通信端末４１−３から交換機４０−３、ノード（Ｒ４）１０−４、通信情報伝送路１−５、ノード（Ｒ５）１０−５、通信情報伝送路１−６、センタノード（Ｃ）２０、通信情報伝送路１−１、ノード（Ｒ１）１０−１、交換機４０−１を介して通信端末４１−１ヘ伝送される。
【００２７】
図３は、図１に示した通信システムにおける監視データ伝送経路を示す図である。
【００２８】
図３において、ノード（Ｒ１）１０−１から出力される監視データＷ−１は、監視情報伝送路２−１、センタノード（Ｃ）２０を介してネットワーク監視装置（ＮＭＳ）３０ヘ伝送され、データベース３１ヘ蓄積される。
【００２９】
同様に、ノード（Ｒ２）１０−２から出力される監視データＷ−２は、監視情報伝送路２−２、ノード（Ｒ１）１０−１、監視情報伝送路２−１、センタノード（Ｃ）２０を介してネットワーク監視装置（ＮＭＳ）３０ヘ伝送され、データベース３１ヘ蓄積され、ノード（Ｒ３）１０−３から出力される監視データＷ−３は、監視情報伝送路２−３、ノード（Ｒ２）１０−２、監視情報伝送路２−２、ノード（Ｒ１）１０−１、監視情報伝送路２−１、センタノード（Ｃ）２０を介してネットワーク監視装置（ＮＭＳ）３０ヘ伝送され、データベース３１ヘ蓄積され、ノード（Ｒ４）１０−４から出力される監視データＷ−４は、監視情報伝送路２−４、ノード（Ｒ３）１０−３、監視情報伝送路２−３、ノード（Ｒ２）１０−２、監視情報伝送路２−２、ノード（Ｒ１）１０−１、監視情報伝送路２−１、センタノード（Ｃ）２０を介してネットワーク監視装置（ＮＭＳ）３０ヘ伝送され、データベース３１ヘ蓄積され、ノード（Ｒ５）１０−５から出力される監視データＷ−５は、監視情報伝送路２−５、ノード（Ｒ４）１０−４、監視情報伝送路２−３、ノード（Ｒ３）１０−３、監視情報伝送路２−３、ノード（Ｒ２）１０−２、監視情報伝送路２−２、ノード（Ｒ１）１０−１、監視情報伝送路２−１、センタノード（Ｃ）２０を介してネットワーク監視装置（ＮＭＳ）３０ヘ伝送され、データベース３１ヘ蓄積され、センタノード（Ｃ）２０から出力される監視データＷ−６は、監視情報伝送路２−６、ノード（Ｒ５）１０−５、監視情報伝送路２−４、ノード（Ｒ４）１０−４、監視情報伝送路２−４、ノード（Ｒ３）１０−３、監視情報伝送路２−３、ノード（Ｒ２）１０−２、監視情報伝送路２−２、ノード（Ｒ１）１０−１、監視情報伝送路２−１、センタノード（Ｃ）２０を介してネットワーク監視装置（ＮＭＳ）３０ヘ伝送され、データベース３１ヘ蓄積される。
【００３０】
なお、図３においては、監視情報伝送路２−１〜２−６のいずれにおいても断線等の障害が発生していず正常に監視データが伝送される場合を示している。
【００３１】
図４は、図３に示した監視データの伝送によりネットワーク監視装置（ＮＭＳ）３０のデータベース３１に蓄積される監視ファイルの一例を示す図である。
【００３２】
この場合、監視情報伝送路２−１〜２−６のいずれにおいても断線等の障害が発生していないので、ネットワーク監視装置（ＮＭＳ）３０のデータベース３１には、全てのノードの監視データが順次蓄積される。
【００３３】
すなわち、図４に示す監視ファイルは、状態が「正常」である場所がノード（Ｒ１）１０−１からの監視データＷ−１が時刻「１２：５５：０２」にネットワーク監視装置（ＮＭＳ）３０のデータベース３１に蓄積され、同様に、状態が「正常」である場所がノード（Ｒ２）１０−２からの監視データＷ−２が時刻「１２：５５：０３」にネットワーク監視装置（ＮＭＳ）３０のデータベース３１に蓄積され、状態が「正常」である場所がノード（Ｒ３）１０−３からの監視データＷ−３が時刻「１２：５５：０４」にネットワーク監視装置（ＮＭＳ）３０のデータベース３１に蓄積され、状態が「正常」である場所がノード（Ｒ４）１０−４からの監視データＷ−４が時刻「１２：５５：０５」にネットワーク監視装置（ＮＭＳ）３０のデータベース３１に蓄積されたことを示している。
【００３４】
図５は、図１に示した通信システムにおいて監視情報伝送路２−３に断線の障害が発生した場合の監視データ伝送経路を示す図である。
【００３５】
ノード（Ｒ３）１０−３とノード（Ｒ２）１０−２との間の監視情報伝送路２−３に断線の障害が発生した場合は、ノード（Ｒ１）１０−１からは、正常に監視データＷ−１が発生され、監視情報伝送路２−１、センタノード（Ｃ）２０を介してネットワーク監視装置（ＮＭＳ）３０ヘ伝送され、データベース３１ヘ蓄積されるが、ノード（Ｒ２）１０−２では、ノード（Ｒ３）１０−３とノード（Ｒ２）１０−２との間の監視情報伝送路２−３の断線により、受信断警報（ＬＯＳ）メッセージＷ−２（ＬＯＳ）を発生し、この受信断警報（ＬＯＳ）メッセージＷ−２（ＬＯＳ）を監視情報伝送路２−２、ノード（Ｒ１）１０−１、監視情報伝送路２−１、センタノード（Ｃ）２０を介してネットワーク監視装置（ＮＭＳ）３０ヘ伝送され、データベース３１ヘ蓄積する。
【００３６】
また、このとき、ノード（Ｒ３）１０−３では、警報（Ｐ−ＦＥＲＦ）メッセージＷ−３（Ｐ−ＦＥＲＦ）を発生するが、この警報（Ｐ−ＦＥＲＦ）メッセージＷ−３（Ｐ−ＦＥＲＦ）は、監視情報伝送路２−３の断線障害のために、ノード（Ｒ２）１０−２方向には伝送することができず、ネットワーク監視装置（ＮＭＳ）３０のデータベース３１ヘは蓄積できない。
【００３７】
同様に、監視情報伝送路２−３の断線障害のために、ノード（Ｒ３）１０−３、ノード（Ｒ４）１０−４、ノード（Ｒ５）１０−５、センタノード（Ｃ）２０からの監視データもネットワーク監視装置（ＮＭＳ）３０のデータベース３１ヘ蓄積できない。
【００３８】
図６は、図５に示した監視情報伝送路２−３の断線障害時の監視データの伝送によりネットワーク監視装置（ＮＭＳ）３０のデータベース３１に蓄積される監視ファイルの一例を示す図である。
【００３９】
この場合、図５で説明したように、ノード（Ｒ３）１０−３からの監視データは監視情報伝送路２−３の断線障害のために、ネットワーク監視装置（ＮＭＳ）３０のデータベース３１ヘ蓄積できず、同様に、ノード（Ｒ３）１０−３、ノード（Ｒ４）１０−４、ノード（Ｒ５）１０−５、センタノード（Ｃ）２０からの監視データもネットワーク監視装置（ＮＭＳ）３０のデータベース３１ヘ蓄積できない。
【００４０】
このため、この場合に、ネットワーク監視装置（ＮＭＳ）３０のデータベース３１に蓄積される監視ファイルは、状態が「正常」、場所がノード（Ｒ１）１０−１、時刻が「１２：５５：０２」である監視データと、状態が「ＬＯＳ」、事象が「検出」、場所がノード（Ｒ２）１０−２、時刻が「１２：５５：０３」である監視データのみがネットワーク監視装置（ＮＭＳ）３０のデータベース３１に蓄積されることになる。
【００４１】
この結果、ネットワーク監視装置（ＮＭＳ）３０では、障害が発生した監視情報伝送路２−３の上流側のノード（Ｒ３）１０−３、ノード（Ｒ４）１０−４、ノード（Ｒ５）１０−５、センタノード（Ｃ）２０からの稼動情報も受信することができなくなるので、各ノードの詳細な稼動記録を残すことができず、ネットワーク管理を行う上で情報が不足するという不都合が発生する。
【００４２】
図７は、図１に示した通信システムにおいて監視情報伝送路２−３に断線の障害が発生した場合のこの実施の形態の監視データ伝送経路を示す図である。
【００４３】
この実施の形態の通信システムにおいては、各ノード１０−１〜１０−５で監視情報伝送路２−１〜２−５の下流側の障害を検出すると、監視データの伝送路を監視情報伝送路２−１〜２−５側から逆方向の通信情報伝送路１−２〜１−６側に切り替えて、監視（Ｐ−ＦＥＲＦ）メッセージを該障害発生個所を迂回してネットワーク監視装置（ＮＭＳ）３０ヘ伝送する。
【００４４】
すなわち、図７において、ノード（Ｒ３）１０−３とノード（Ｒ２）１０−２との間の監視情報伝送路２−３に断線の障害が発生した場合は、ノード（Ｒ１）１０−１からは、正常に監視データＷ−１が発生され、監視情報伝送路２−１、センタノード（Ｃ）２０を介してネットワーク監視装置（ＮＭＳ）３０ヘ伝送され、データベース３１ヘ蓄積される。
【００４５】
しかし、ノード（Ｒ２）１０−２では、監視情報伝送路２−３の断線の検出により、受信断警報（ＬＯＳ）メッセージＷ−２（ＬＯＳ）を発生し、この受信断警報（ＬＯＳ）メッセージＷ−２（ＬＯＳ）を監視情報伝送路２−２、ノード（Ｒ１）１０−１、監視情報伝送路２−１、センタノード（Ｃ）２０を介してネットワーク監視装置（ＮＭＳ）３０ヘ伝送し、データベース３１ヘ蓄積する。
【００４６】
また、このとき、ノード（Ｒ３）１０−３では、ノード（Ｒ３）１０−３とノード（Ｒ２）１０−２との間の監視情報伝送路２−３を監視し、監視情報伝送路２−３の通信障害を検出すると、警報（Ｐ−ＦＥＲＦ）メッセージＷ−３（Ｐ−ＦＥＲＦ）の送信方向を監視情報伝送路２−３側から逆方向の通信情報伝送路１−４側に切り替える。この警報（Ｐ−ＦＥＲＦ）メッセージＷ−３（Ｐ−ＦＥＲＦ）をノード（Ｒ４）１０−４、ノード（Ｒ５）１０−５、センタノード（Ｃ）２０を介してネットワーク監視装置（ＮＭＳ）３０ヘ伝送し、データベース３１ヘ蓄積する。
【００４７】
これにより、ネットワーク監視装置（ＮＭＳ）３０は、断線が発生した監視情報伝送路２−３の上流側のノード（Ｒ３）１０−３、ノード（Ｒ４）１０−４、ノード（Ｒ５）１０−５に対して監視データの伝送経路を監視情報伝送路２−３〜２−５側から逆方向の通信情報伝送路１−４〜１−６側に切り替えるコマンドを発行する。これにより、断線が発生した監視情報伝送路２−３の上流側のノード（Ｒ３）１０−３、ノード（Ｒ４）１０−４、ノード（Ｒ５）１０−５は、監視データの伝送経路を監視情報伝送路２−４〜２−５側から逆方向の通信情報伝送路１−５〜１−６側に切り替える。
【００４８】
このような構成によると、ノード（Ｒ３）１０−３とノード（Ｒ２）１０−２との間の監視情報伝送路２−３に断線の障害が発生した後においても、監視データをネットワーク監視装置（ＮＭＳ）３０に伝送してデータベース３１ヘ蓄積することが可能になる。
【００４９】
図８は、図７に示した監視情報伝送路２−３の断線障害時の監視データの伝送によりネットワーク監視装置（ＮＭＳ）３０のデータベース３１に蓄積される監視ファイルの一例を示す図である。
【００５０】
この場合、図７に示したように、ノード（Ｒ３）１０−３では、ノード（Ｒ３）１０−３とノード（Ｒ２）１０−２との間の監視情報伝送路２−３の通信障害を検出すると、警報（Ｐ−ＦＥＲＦ）メッセージＷ−３（Ｐ−ＦＥＲＦ）の送信方向を監視情報伝送路２−３側から逆方向の通信情報伝送路１−４側に切り替えてネットワーク監視装置（ＮＭＳ）３０ヘ伝送し、その後、断線が発生した監視情報伝送路２−３の上流側のノード（Ｒ３）１０−３、ノード（Ｒ４）１０−４、ノード（Ｒ５）１０−５は、ネットワーク監視装置（ＮＭＳ）３０からのコマンド受信により監視データの伝送経路を監視情報伝送路２−４〜２−５側から逆方向の通信情報伝送路１−５〜１−６側に切り替えるので、ノード（Ｒ３）１０−３とノード（Ｒ２）１０−２との間の監視情報伝送路２−３に断線の障害が発生した後においても、監視データをデータベース３１ヘ蓄積することが可能になる。
【００５１】
すなわち、図８において、ネットワーク監視装置（ＮＭＳ）３０のデータベース３１に蓄積される監視ファイルは、状態が「正常」、場所がノード（Ｒ１）１０−１、時刻が「１５：２３：０２」である監視データ、状態が「ＬＯＳ」、事象が「検出」、場所がノード（Ｒ２）１０−２、時刻が「１５：２３：０３」である監視データ、状態が「ＦＥＲＦ」、事象が「検出」、場所がノード（Ｒ３）１０−２、時刻が「１５：２３：０３」である監視データ、状態が「正常」、場所がノード（Ｒ４）１０−１、時刻が「１５：２３：０５」である監視データ、・・・が蓄積される。
【００５２】
図９は、図７に示した通信システムにおいて監視情報伝送路２−３に断線の障害が発生した場合のノード（Ｒ２）１０−２とノード（Ｒ３）１０−３との間の伝送路が監視処理を示す図である。
【００５３】
図９において、信号ＬＯＳは受信端のノードで検出するもので、伝送路の断線や受信機の故障でデータが受信不能になったことを示す。また信号Ｐ−ＦＥＲＦは、対向のノードの受信能力が不能になったことを折返し伝える信号である。
【００５４】
すなわち、図９において、ノード（Ｒ２）１０−２は、ノード（Ｒ３）１０−３とノード（Ｒ２）１０−２との間の監視情報伝送路２−３の断線障害発生を信号ＬＯＳ／ＬＯＦとして検出し、信号Ｐ−ＦＥＲＦを通信情報伝送路１−３を介してノード（Ｒ３）１０−３ヘ転送し、ノード（Ｒ３）１０−３は、このノード（Ｒ２）１０−２から転送された信号Ｐ−ＦＥＲＦを検出する。
【００５５】
また、ノード（Ｒ２）１０−２は、信号Ｂ３を生成し、この信号Ｂ３を通信情報伝送路１−３を介してノード（Ｒ３）１０−３に送出し、ノード（Ｒ３）１０−３は、この信号Ｂ３を検出すると、信号Ｐ−ＦＥＢＥを監視情報伝送路２−３を介してノード（Ｒ２）１０−２に転送するが、監視情報伝送路２−３は断線しているため、この信号Ｐ−ＦＥＢＥをノード（Ｒ２）１０−２で検出することはできない。
【００５６】
同様に、ノード（Ｒ３）１０−３は、ノード（Ｒ３）１０−３とノード（Ｒ２）１０−２との間の監視情報伝送路２−３の断線障害発生を信号ＬＯＳ／ＬＯＦとして検出し、信号Ｐ−ＦＥＲＦを監視情報伝送路２−３を介してノード（Ｒ２）１０−２ヘ転送するが、監視情報伝送路２−３は断線しているため、ノード（Ｒ２）１０−２は、このノード（Ｒ３）１０−３から転送された信号Ｐ−ＦＥＲＦを検出することはできない。
【００５７】
また、ノード（Ｒ３）１０−３は、信号Ｂ３を生成し、この信号Ｂ３を監視情報伝送路２−３を介してノード（Ｒ２）１０−２に送出するが、監視情報伝送路２−３は断線しているため、ノード（Ｒ２）１０−２は、この信号Ｂ３を検出することができないので、信号Ｐ−ＦＥＢＥは通信情報伝送路１−３を介してノード（Ｒ３）１０−３に転送されず、この信号Ｐ−ＦＥＢＥはノード（Ｒ３）１０−３で検出されない。
【００５８】
図１０は、図７に示した通信システムのノード（Ｒ４）１０−４の内部での警報メッセージの経路を示す図である。
【００５９】
図１０において、ノード（Ｒ４）１０−４は、交換スイッチ１１およびこの交換スイッチ１１に接続され、このノード（Ｒ４）１０−４の全体動作を制御する中央演算処理部（ＣＰＵ）１２を具備し、ＣＯＵ１２によりこのノード（Ｒ４）１０−４内部での警報メッセージの経路を制御する。
【００６０】
図１０において、太い実線で示す経路Ｌ１は、ノード（Ｒ３）１０−３の送出する警報メッセージの経路を示す。このノード（Ｒ３）１０−３からの警報メッセージは、ノード（Ｒ４）１０−４をスルーしてネットワーク監視装置（ＮＭＳ）３０ヘ伝送される。
【００６１】
また、図１０において、点線で示す経路Ｌ２は、このノード（Ｒ４）１０−４から送出される監視データの経路を示す。この監視データは、ＣＰＵ１２で発生され、経路Ｌ２を通って上流のノード（Ｒ５）１０−５へ伝送される。
【００６２】
図１１は、図７に示した通信システムのノード（Ｒ３）１０−３における警報メッセージの送信処理を示すフローチャートである。
【００６３】
図７に示した通信システムにおいて、ノード（Ｒ３）１０−３は、Ｒ２−Ｒ３間の回線、すなわち、ノード（Ｒ２）１０−２とノード（Ｒ３）１０−３との間の監視情報伝送路２−３を監視し（ステップ１０１）、ノード（Ｒ３）１０−３からノード（Ｒ２）１０−２方向の通信障害を検出したかを調べる（ステップ１０２）。このノード（Ｒ３）１０−３からノード（Ｒ２）１０−２方向の通信障害は、図９に示したノード（Ｒ２）１０−２からの信号Ｐ−ＦＥＲＦ（警報メッセージ）を検出することにより行われる。
【００６４】
ここで、ノード（Ｒ３）１０−３からノード（Ｒ２）１０−２方向の通信障害を検出しない場合は（ステップ１０２でＮＯ）、ノード（Ｒ３）１０−３は警報メッセージの送信方向の切り替えを行わず、初期状態の通りノード（Ｒ２）１０−２側へ警報メッセージ（監視データ）を出力し（ステップ１０３）、ステップ１０１へ戻る。
【００６５】
しかし、ステップ１０２で、ノード（Ｒ３）１０−３からノード（Ｒ２）１０−２方向の通信障害を検出したと判断されると（ステップ１０２でＹＥＳ）、警報メッセージの送信方向を切り替え、ノード（Ｒ４）１０−４側へ警報メッセージ（監視データ）を出力し（ステップ１０４）、ステップ１０１へ戻る。
【００６６】
図１２は、図７に示した通信システムのノード（Ｒ４）１０−４における警報メッセージの送信処理を示すフローチャートである。
【００６７】
図７に示した通信システムにおけるノード（Ｒ４）１０−４は、ネットワーク監視装置（ＮＭＳ）３０からのコマンドを監視し（ステップ２０１）、ネットワーク監視装置（ＮＭＳ）３０から警報メッセージ送出方向切替コマンドを受信したかを調べる（ステップ２０２）。
【００６８】
ここで、ネットワーク監視装置（ＮＭＳ）３０から警報メッセージ送出方向切替コマンドを受信していないと判断されると（ステップ２０２でＮＯ）、警報メッセージ送信方向の切り替えを行わず、初期状態の通りノード（Ｒ３）１０−３側へ警報メッセージ（監視データ）を出力し（ステップ２０３）、ステップ２０１へ戻る。
【００６９】
しかし、ステップ２０２で、ネットワーク監視装置（ＮＭＳ）３０から警報メッセージ送出方向切替コマンドを受信したと判断されると（ステップ２０２でＹＥＳ）、警報メッセージの送信方向を切り替え、ノード（Ｒ５）１０−５側へ警報メッセージ（監視データ）を出力し（ステップ２０４）、ステップ１０１へ戻る。
【００７０】
図１３は、図１に示した通信システムにおいて監視情報伝送路２−３に断線の障害が発生した場合の他の実施の形態の監視データ伝送経路を示す図である。
【００７１】
この実施の形態においては、ノード（Ｒ３）１０−３とノード（Ｒ２）１０−２との間の監視情報伝送路２−３に断線の障害が発生した場合、ノード（Ｒ１）１０−１からは、正常に監視データＷ−１が発生され、監視情報伝送路２−１、センタノード（Ｃ）２０を介してネットワーク監視装置（ＮＭＳ）３０ヘ伝送され、データベース３１ヘ蓄積される。
【００７２】
しかし、ノード（Ｒ２）１０−２では、監視情報伝送路２−３の断線の検出により、受信断警報（ＬＯＳ）メッセージＷ−２（ＬＯＳ）を発生し、この受信断警報（ＬＯＳ）メッセージＷ−２（ＬＯＳ）を監視情報伝送路２−２、ノード（Ｒ１）１０−１、監視情報伝送路２−１、センタノード（Ｃ）２０を介してネットワーク監視装置（ＮＭＳ）３０ヘ伝送し、データベース３１ヘ蓄積する。
【００７３】
また、このとき、ノード（Ｒ３）１０−３では、ノード（Ｒ３）１０−３とノード（Ｒ２）１０−２との間の監視情報伝送路２−３を監視し、監視情報伝送路２−３の通信障害を検出すると、警報（Ｐ−ＦＥＲＦ）メッセージＷ−３（Ｐ−ＦＥＲＦ）の送信方向を監視情報伝送路２−３側から逆方向の通信情報伝送路１−４側に切り替える。
【００７４】
ここまでの処理は図７に示した実施の形態と同様である。
【００７５】
ただし、この実施の形態においては、ノード（Ｒ３）１０−３から警報（Ｐ−ＦＥＲＦ）メッセージＷ−３（Ｐ−ＦＥＲＦ）をノード（Ｒ４）１０−４、ノード（Ｒ５）１０−５、センタノード（Ｃ）２０、ネットワーク監視装置（ＮＭＳ）３０ヘの同報メッセージとして送信する。
【００７６】
そして、この警報（Ｐ−ＦＥＲＦ）メッセージＷ−３（Ｐ−ＦＥＲＦ）を受信したノード（Ｒ４）１０−４、ノード（Ｒ５）１０−５は、監視データの伝送経路を監視情報伝送路２−４〜２−５側から逆方向の通信情報伝送路１−５〜１−６側に切り替える。
【００７７】
このような構成によると、ノード（Ｒ３）１０−３とノード（Ｒ２）１０−２との間の監視情報伝送路２−３に断線の障害が発生した後においても、監視データをネットワーク監視装置（ＮＭＳ）３０に伝送してデータベース３１ヘ蓄積することが可能になる。
【００７８】
図１４は、図１３に示した通信システムのノード（Ｒ４）１０−４の内部での警報メッセージの経路を示す図である。
【００７９】
図１４において、ノード（Ｒ４）１０−４は、交換スイッチ１１およびこの交換スイッチ１１に接続され、このノード（Ｒ４）１０−４の全体動作を制御する中央演算処理部（ＣＰＵ）１２を具備し、ＣＰＵ１２によりこのノード（Ｒ４）１０−４内部での警報メッセージの経路を制御する。
【００８０】
図１４において、太い実線で示す経路Ｌ１は、ノード（Ｒ３）１０−３の送出する警報メッセージの経路を示す。このノード（Ｒ３）１０−３からの警報メッセージは、ノード（Ｒ４）１０−４をスルーしてネットワーク監視装置（ＮＭＳ）３０ヘ伝送されるとともに、交換スイッチ１１を介してＣＰＵ１２で受信される。
【００８１】
ＣＰＵ１２は、このノード（Ｒ３）１０−３からの警報メッセージを受信すると、ノード（Ｒ４）１０−４で発生される監視データの送信方向をノード（Ｒ３）１０−３側からノード（Ｒ５）１０−５側ヘ切り替えるように交換スイッチ１１を制御する。
【００８２】
これにより、ＣＰＵ１２で発生される監視データは、図１４において点線で示す経路Ｌ２を通って上流のノード（Ｒ５）１０−５へ伝送される。
【００８３】
図１５は、図１３に示した通信システムのノード（Ｒ３）１０−３における警報メッセージの送信処理を示すフローチャートである。
【００８４】
図１３に示した通信システムにおいて、ノード（Ｒ３）１０−３は、Ｒ２−Ｒ３間の回線、すなわち、ノード（Ｒ２）１０−２とノード（Ｒ３）１０−３との間の監視情報伝送路２−３を監視し（ステップ３０１）、ノード（Ｒ３）１０−３からノード（Ｒ２）１０−２方向の通信障害を検出したかを調べる（ステップ１０２）。このノード（Ｒ３）１０−３からノード（Ｒ２）１０−２方向の通信障害は、図９に示したノード（Ｒ２）１０−２からの信号Ｐ−ＦＥＲＦ（警報メッセージ）を検出することにより行われる。
【００８５】
ここで、ノード（Ｒ３）１０−３からノード（Ｒ２）１０−２方向の通信障害を検出しない場合は（ステップ３０２でＮＯ）、ノード（Ｒ３）１０−３は警報メッセージの送信方向の切り替えを行わず、初期状態の通りノード（Ｒ２）１０−２側へ警報メッセージ（監視データ）を出力し（ステップ３０３）、ステップ３０１へ戻る。
【００８６】
しかし、ステップ３０２で、ノード（Ｒ３）１０−３からノード（Ｒ２）１０−２方向の通信障害を検出したと判断されると（ステップ３０２でＹＥＳ）、警報メッセージの送信方向を切り替え、ノード（Ｒ４）１０−４側へ警報メッセージ（監視データ）を出力し（ステップ１０４）、ステップ３０１へ戻る。
【００８７】
図１６は、図１３に示した通信システムのノード（Ｒ４）１０−４における警報メッセージの送信処理を示すフローチャートである。
【００８８】
図１３に示した通信システムにおけるノード（Ｒ４）１０−４は、ノード（Ｒ３）１０−３からの警報メッセージを監視し（ステップ４０１）、ノード（Ｒ３）１０−３からの警報メッセージを受信したかを調べる（ステップ４０２）。
【００８９】
ここで、ノード（Ｒ３）１０−３からの警報メッセージを受信していないと判断されると（ステップ４０２でＮＯ）、警報メッセージ送信方向の切り替えを行わず、初期状態の通りノード（Ｒ３）１０−３側へ警報メッセージ（監視データ）を出力し（ステップ２０３）、ステップ４０１へ戻る。
【００９０】
しかし、ステップ４０２で、ノード（Ｒ３）１０−３からの警報メッセージを受信したと判断されると（ステップ４０２でＹＥＳ）、警報メッセージの送信方向を切り替え、ノード（Ｒ５）１０−５側へ警報メッセージ（監視データ）を出力し（ステップ４０４）、ステップ４０１へ戻る。
【００９１】
図１７は、この発明に係わる通信システムの他の実施の形態を示すブロック図である。
【００９２】
図１７に示した実施の形態の通信システムは、基本構成は図１に示した通信システムと同様の構成を採用するが、ノード（Ｒ１）１０−１とノード（Ｒ２）１０−２との間の監視情報伝送路２−２で障害が発生した場合、この障害発生個所の下流側のノード（Ｒ１）１０−１から両方向、すなわち、監視情報伝送路２−１を介するセンタノード（Ｃ）２０側と通信情報伝送路１−２を介するノード（Ｒ２）１０−２側との両方向に受信断警報（ＬＯＳ）メッセージＷ−１（ＬＯＳ）およびＷ−１’（ＬＯＳ）を送出する。
【００９３】
また、ノード（Ｒ３）１０−３からは、図７に示した場合と同様に、警報メッセージＷ−３（Ｐ−ＦＥＲＦ）がノード（Ｒ４）１０−４方向に送出される。
【００９４】
図１８は、図１７に示した監視データの伝送によりネットワーク監視装置（ＮＭＳ）３０のデータベース３１に蓄積される監視ファイルの一例を示す図である。
【００９５】
この場合、図１７に示したように、障害発生個所である監視情報伝送路２−２の下流側のノード（Ｒ１）１０−１から両方向、すなわち、監視情報伝送路２−１を介するセンタノード（Ｃ）２０側と通信情報伝送路１−２を介するノード（Ｒ２）１０−２側との両方向に受信断警報（ＬＯＳ）メッセージＷ−１（ＬＯＳ）およびＷ−１’（ＬＯＳ）が送出されるので、ネットワーク監視装置（ＮＭＳ）３０のデータベース３１には、状態が「ＬＯＳ」、事象が「検出」、 場所がノード（Ｒ１）１０−１、時刻が「１５：２３：０２」である監視データと、状態が「ＬＯＳ」、事象が「検出」、場所がノード（Ｒ１）１０−１、時刻が「１５：２３：０３」である監視データと、状態が「ＦＥＲＦ」、事象が「検出」、場所がノード（Ｒ２）１０−２、時刻が「１５：２３：０４」である監視データとが監視ファイルとして蓄積される。
【００９６】
図１９は、図１７に示した通信システムのノード（Ｒ１）１０−１における警報メッセージの送信処理を示すフローチャートである。
【００９７】
図１９において、ノード（Ｒ１）１０−１は、ノード（Ｒ１）１０−１とノード（Ｒ２）１０−２との間の監視情報伝送路２−２の障害を監視し（ステップ５０１）、監視情報伝送路２−２の障害を検出しない場合は（ステップ５０２でＮＯ）、ステップ５０１に戻るが、監視情報伝送路２−２の障害を検出すると（ステップ５０２でＹＥＳ）、ノード（Ｒ１）１０−１内に設けられた図示しない時計から現在の時刻を取得し（ステップ５０３）、センタノード（Ｃ）２０方向に警報メッセージＷ−１（ＬＯＳ）を転送する（ステップ５０４）。
【００９８】
次に、ノード（Ｒ１）１０−１は、ノード（Ｒ１）１０−１内に設けられた図示しない時計から再度現在の時刻を取得し（ステップ５０５）、ノード（Ｒ２）１０−２方向に警報メッセージＷ−１’（ＬＯＳ）を転送する（ステップ５０６）し、ステップ５０１に戻る。
【００９９】
ところで、上記図１７乃至図１９で説明した構成においては、センタノード（Ｃ）２０方向に送出する警報メッセージＷ−１（ＬＯＳ）とノード（Ｒ２）１０−２方向に送出する警報メッセージＷ−１’（ＬＯＳ）との間に時間ずれが生じ、図１８に示すように、ネットワーク監視装置（ＮＭＳ）３０のデータベース３１に蓄積される監視ファイルに同一時刻、同一場所で発生した障害が別時刻に記録されることになり、その結果、この警報メッセージは異なる事象のものか、同一の事象のものかが判断できなくなる。
【０１００】
また、同一時刻、同一場所で発生した障害が双方向からの２つのメッセージとしてネットワーク監視装置（ＮＭＳ）３０のデータベース３１に蓄積されるので、その結果、データベース３１の監視記録ファイルが膨大になる。
【０１０１】
図２０は、この発明に係わる通信システムの更に他の実施の形態を示すブロック図である。
【０１０２】
この実施の形態においては、図１７に示した実施の形態と同様に、障害発生個所である監視情報伝送路２−２の下流側のノード（Ｒ１）１０−１から両方向、すなわち、監視情報伝送路２−１を介するセンタノード（Ｃ）２０側と通信情報伝送路１−２を介するノード（Ｒ２）１０−２側との両方向に受信断警報（ＬＯＳ）メッセージＷ−１（ＬＯＳ）およびＷ−１’（ＬＯＳ）を送出するが、この受信断警報（ＬＯＳ）メッセージＷ−１（ＬＯＳ）とＷ−１’（ＬＯＳ）との間に時間ずれを生じさせないように、受信断警報（ＬＯＳ）メッセージを送出する現在の時刻ではなく障害発生時刻を取得してこの取得した時刻情報を受信断警報（ＬＯＳ）メッセージＷ−１（ＬＯＳ）およびＷ−１’（ＬＯＳ）の双方に付加して伝送するように構成される。
【０１０３】
すなわち、ノード（Ｒ１）１０−１とノード（Ｒ２）１０−２との間の監視情報伝送路２−２で障害が発生した場合、この障害発生時刻をノード（Ｒ１）１０−１の図示しない時計から取得して、この障害発生時刻を示す時刻情報「１５：２３：０２」および転送経路情報（Ｌ）を付加した受信断警報メッセージＷ−１（ＬＯＳ）をセンタノード（Ｃ）２０側ヘ送出するとともに、同時刻情報「１５：２３：０２」および転送経路情報（Ｒ）を付加した受信断警報メッセージＷ−１’（ＬＯＳ）をノード（Ｒ２）１０−２側ヘ送信する。
【０１０４】
図２１は、図２０に示した通信システムのノード（Ｒ１）１０−１における警報メッセージの送信処理を示すフローチャートである。
【０１０５】
図２１において、ノード（Ｒ１）１０−１は、ノード（Ｒ１）１０−１とノード（Ｒ２）１０−２との間の監視情報伝送路２−２の障害を監視し（ステップ６０１）、監視情報伝送路２−２の障害を検出しない場合は（ステップ６０２でＮＯ）、ステップ６０１に戻るが、監視情報伝送路２−２の障害を検出すると（ステップ６０２でＹＥＳ）、ノード（Ｒ１）１０−１内に設けられた図示しない時計から障害発生時刻を取得する（ステップ６０３）。
【０１０６】
そして、この取得した障害発生時刻および転送経路情報（Ｌ）を付加した警報メッセージＷ−１（ＬＯＳ）を反時計回り方向、すなわち、センタノード（Ｃ）２０方向に転送し（ステップ６０４）、また、この取得した障害発生時刻および転送経路情報（Ｒ）を付加した警報メッセージＷ−１’（ＬＯＳ）を時計回り方向、すなわち、ノード（Ｒ２）１０−２方向に転送する（ステップ６０５）。
【０１０７】
図２２は、図２０に示した通信システムにおける警報メッセージの構成を示す図である。
【０１０８】
図２２において、図２２（ａ）は、ノード（Ｒ１）１０−１からセンタノード（Ｃ）２０側ヘ送出される警報メッセージの構成を示す。
【０１０９】
ここで、この警報メッセージは、警報の内容を示す「警報情報」、障害発生時刻を示す「障害発生時刻情報」、この警報メッセージの転送方向を示す「転送経路情報（Ｌ）」から構成される。
【０１１０】
また、図２２（ｂ）は、ノード（Ｒ１）１０−１からノード（Ｒ２）１０−２側ヘ送出される警報メッセージの構成を示す。
【０１１１】
ここで、この警報メッセージは、警報の内容を示す「警報情報」、障害発生時刻を示す「障害発生時刻情報」、この警報メッセージの転送方向を示す「転送経路情報（Ｒ）」から構成される。
【０１１２】
図２３は、図２０に示した監視データの伝送によりネットワーク監視装置（ＮＭＳ）３０のデータベース３１に蓄積される監視ファイルの一例を示す図である。
【０１１３】
この場合、図２０に示したように、障害発生個所である監視情報伝送路２−２の下流側のノード（Ｒ１）１０−１から両方向、すなわち、センタノード（Ｃ）２０側とノード（Ｒ２）１０−２側に送出される受信断警報（ＬＯＳ）メッセージＷ−１（ＬＯＳ）およびＷ−１’（ＬＯＳ）に、受信断警報（ＬＯＳ）メッセージを送出する現在の時刻ではなく障害発生時刻を付加して伝送するように構成したので、同一時刻、同一場所で発生した障害に対しては、双方向からの２つの警報メッセージに同一時刻情報が付加されてネットワーク監視装置（ＮＭＳ）３０のデータベース３１に蓄積される。
【０１１４】
すなわち、ネットワーク監視装置（ＮＭＳ）３０のデータベース３１には、状態が「ＬＯＳ」、事象が「検出」、 場所がノード（Ｒ１）１０−１、時刻が「１５：２３：０２」である監視データと、状態が「ＬＯＳ」、事象が「検出」、場所がノード（Ｒ１）１０−１、時刻が「１５：２３：０２」である監視データと、状態が「ＦＥＲＦ」、事象が「検出」、場所がノード（Ｒ２）１０−２、時刻が「１５：２３：０４」である監視データとが監視ファイルとして蓄積される。
【０１１５】
なお、上記構成により、同一時刻、同一場所で発生した障害に対しては、双方向からの２つの警報メッセージに同一時刻情報が付加されてネットワーク監視装置（ＮＭＳ）３０のデータベース３１に蓄積されるので、一方の警報メッセージを削除することにより、ネットワーク監視装置（ＮＭＳ）３０のデータベース３１の記憶領域を有効に利用するすることが可能になる。
【０１１６】
図２４は、図２０に示した監視データの伝送によりネットワーク監視装置（ＮＭＳ）３０のデータベース３１に蓄積される監視ファイルの削除処理を示す図である。
【０１１７】
図２４において、図２４（ａ）は、図２３に示した監視ファイルと同一のものであり、同一時刻、同一場所で発生した障害に対して状態が「ＬＯＳ」、事象が「検出」、 場所がノード（Ｒ１）１０−１、時刻が「１５：２３：０２」である監視データと、状態が「ＬＯＳ」、事象が「検出」、場所がノード（Ｒ１）１０−１、時刻が「１５：２３：０２」である監視データとが存在する。
【０１１８】
ここで、時刻情報から、上記２つの監視データが同一時刻、同一場所で発生した障害に関するものであることが容易に認識できる。
【０１１９】
そこで、ここでは、上記同一時刻、同一場所で発生した障害に関する２つの監視データの内の一方を削除する。これにより、ネットワーク監視装置（ＮＭＳ）３０のデータベース３１に蓄積される監視データは、図２４（ｂ）に示すようになる。
【０１２０】
図２５は、図２０に示した監視データの伝送によりネットワーク監視装置（ＮＭＳ）３０のデータベース３１に蓄積される監視ファイルの削除処理を示すフローチャートである。
【０１２１】
図２０に示したネットワーク監視装置（ＮＭＳ）３０は、まず、反時計回り方向、すなわち、転送経路情報（Ｌ）の伝送路から警報メッセージを受信する（ステップ７０１）。
【０１２２】
次に、時計回り方向、すなわち、転送経路情報（Ｒ）の伝送路から警報メッセージを受信する（ステップ７０２）。
【０１２３】
次に、双方向からの警報メッセージは同一事象のものかを調べる（ステップ７０３）。ここで、双方向からの警報メッセージは同一事象のものではないと判断されると（ステップ７０３でＮＯ）、ステップ７０１に戻る。
【０１２４】
また、ステップ７０３で、双方向からの警報メッセージは同一事象のものであると判断されると（ステップ７０３でＹＥＳ）、同一事象の警報メッセージの一方、すなわち、転送経路情報（Ｒ）の警報メッセージを削除し（ステップ７０４）、ネットワーク監視装置（ＮＭＳ）３０のデータベース３１に対する受信警報メッセージの記録を行い（ステップ７０５）、ステップ７０１２戻る。
【０１２５】
【発明の効果】
以上説明したようにこの発明によれば、障害が発生した個所を検知して、警報メッセージの送出方向を障害発生個所を迂回するように各伝送装置でそれぞれ切り替えるように構成したので、ネットワーク監視装置にネットワークの稼動時態様をもれなくかつ正しく伝送することが可能になるという効果を奏する。
【図面の簡単な説明】
【図１】この発明に係わる通信システムの全体構成を示すブロック図である。
【図２】図１に示した通信システムにおける通信データ伝送経路を示す図である。
【図３】図１に示した通信システムにおける監視データ伝送経路を示す図である。
【図４】図３に示した監視データの伝送によりネットワーク監視装置（ＮＭＳ）３０のデータベース３１に蓄積される監視ファイルの一例を示す図である。
【図５】図１に示した通信システムにおいて監視情報伝送路２−３に断線の障害が発生した場合の監視データ伝送経路を示す図である。
【図６】図５に示した監視情報伝送路２−３の断線障害時の監視データの伝送によりネットワーク監視装置（ＮＭＳ）３０のデータベース３１に蓄積される監視ファイルの一例を示す図である。
【図７】図１に示した通信システムにおいて監視情報伝送路２−３に断線の障害が発生した場合のこの実施の形態の監視データ伝送経路を示す図である。
【図８】図７に示した監視情報伝送路２−３の断線障害時の監視データの伝送によりネットワーク監視装置（ＮＭＳ）３０のデータベース３１に蓄積される監視ファイルの一例を示す図である。
【図９】図７に示した通信システムにおいて監視情報伝送路２−３に断線の障害が発生した場合のノード（Ｒ２）１０−２とノード（Ｒ３）１０−３との間の伝送路が監視処理を示す図である。
【図１０】図７に示した通信システムのノード（Ｒ４）１０−４の内部での警報メッセージの経路を示す図である。
【図１１】図７に示した通信システムのノード（Ｒ３）１０−３における警報メッセージの送信処理を示すフローチャートである。
【図１２】図７に示した通信システムのノード（Ｒ４）１０−４における警報メッセージの送信処理を示すフローチャートである。
【図１３】図１に示した通信システムにおいて監視情報伝送路２−３に断線の障害が発生した場合の他の実施の形態の監視データ伝送経路を示す図である。
【図１４】図１３に示した通信システムのノード（Ｒ４）１０−４の内部での警報メッセージの経路を示す図である。
【図１５】図１３に示した通信システムのノード（Ｒ３）１０−３における警報メッセージの送信処理を示すフローチャートである。
【図１６】図１３に示した通信システムのノード（Ｒ４）１０−４における警報メッセージの送信処理を示すフローチャートである。
【図１７】この発明に係わる通信システムの他の実施の形態を示すブロック図である。
【図１８】図１７に示した監視データの伝送によりネットワーク監視装置（ＮＭＳ）３０のデータベース３１に蓄積される監視ファイルの一例を示す図である。
【図１９】図１７に示した通信システムのノード（Ｒ１）１０−１における警報メッセージの送信処理を示すフローチャートである。
【図２０】この発明に係わる通信システムの更に他の実施の形態を示すブロック図である。
【図２１】図２０に示した通信システムのノード（Ｒ１）１０−１における警報メッセージの送信処理を示すフローチャートである。
【図２２】図２０に示した通信システムにおける警報メッセージの構成を示す図である。
【図２３】図２０に示した監視データの伝送によりネットワーク監視装置（ＮＭＳ）３０のデータベース３１に蓄積される監視ファイルの一例を示す図である。
【図２４】図２０に示した監視データの伝送によりネットワーク監視装置（ＮＭＳ）３０のデータベース３１に蓄積される監視ファイルの削除処理を示す図である。
【図２５】図２０に示した監視データの伝送によりネットワーク監視装置（ＮＭＳ）３０のデータベース３１に蓄積される監視ファイルの削除処理を示すフローチャートである。
【符号の説明】
１−１〜１−６    現用系伝送路（通信情報伝送路）
２−１〜２−６    予備系伝送路（監視情報伝送路）
１０−１〜１０−５    ノード（Ｒ１〜Ｒ５）
２０    センタノード（Ｃ）
３０    ネットワーク監視装置（ＮＭＳ）
３１    データベース
４０−１〜４０−４    交換機
４１−１〜４１−４    通信端末
５０−１〜５０−３    リピータ（Ｒ）
６０−１〜６０−３    ローカルエリアネットワーク（ＬＡＮ）
【図１】
0004064032.tif 000002
【図２】
0004064032.tif 000003
【図３】
0004064032.tif 000004
【図４】
0004064032.tif 000005
【図５】
0004064032.tif 000006
【図６】
0004064032.tif 000007
【図７】
0004064032.tif 000008
【図８】
0004064032.tif 000009
【図９】
0004064032.tif 000010
【図１０】
0004064032.tif 000011
【図１１】
0004064032.tif 000012
【図１２】
0004064032.tif 000013
【図１３】
0004064032.tif 000014
【図１４】
0004064032.tif 000015
【図１５】
0004064032.tif 000016
【図１６】
0004064032.tif 000017
【図１７】
0004064032.tif 000018
【図１８】
0004064032.tif 000019
【図１９】
0004064032.tif 000020
【図２０】
0004064032.tif 000021
【図２１】
0004064032.tif 000022
【図２２】
0004064032.tif 000023
【図２３】
0004064032.tif 000024
【図２４】
0004064032.tif 000025
【図２５】
0004064032.tif 000026